(57)【要約】  【課題】  咽に詰まり窒息死を招くという問題を改善するミニゼリーのカップを提供することを課題とする。  【解決手段】  ゼリーを収納するカップ内に少なくとも１以上の仕切り板を設けて該カップ内を分割し、それぞれにゼリーを収納する少なくとも２以上の収納溝を形成する。【選択図】  図３  
0003110682.tif 000002
【実用新案登録請求の範囲】
【請求項１】
ゼリーを収納し、開口部をシートで密封するミニゼリーのカップであって、
該カップ内に少なくとも１以上の仕切り板を設けて該カップ内を分割し、それぞれにゼリーを収納する少なくとも２以上の収納溝を形成することを特徴とするミニゼリーのカップ。
【請求項２】
前記シートが、該収納溝と同数に分割され、該分割したシートで該カップの収納溝を封止することを特徴とする請求項１に記載のミニゼリーのカップ。
【考案の詳細な説明】
【技術分野】
【０００１】
この考案は、ミニゼリーを収納し、密封するミニゼリーのカップに関する。
【背景技術】
【０００２】
ミニゼリーは、大人にも子供にも好まれる食品である。体積が小さく携帯に便利で、且つ好ましい歯ざわりを具え、清潔で衛生的である。また、一つ一口で食することができ、便利である。但し、この数年ミニゼリーが咽につかえ、児童、老人が窒息死する事件が発生している。係る事件は台湾のみならず、アメリカ、日本、韓国、タイ等でも発生し、少なからぬ家庭を不幸に貶めている。また、業者の市場における競争能力にも影響を与え、且つ極めて多額の賠償金が業者の負担となっている。よって、消費者と業者のいずれに対しても大きな影響と損失を与えている。
【０００３】
ミニゼリーは、上述する通り体積が小さく携帯に便利で、且つ好ましい歯ざわりを具え、清潔で衛生的である。また、図１に開示するように一つ一口で食することができ、便利であるといった特徴を具えるため、多くの消費者に好まれている。特に家庭において子供のおやつとして常用されているが、これは例えば子供が食す場合、プリンのようにスプーンを用意する必要が無く、また、食べちらかしてプリンが子供の身体に付着したり、周囲に飛び散ったりすることが無いためである。
【０００４】
ミニゼリーは直径が約３ｃｍほどである。直径３ｃｍの物体は咽に詰まり易く、窒息死を用意に招く。これがミニゼリーによって窒息死の発生する主な原因である。このため一部では業者に対してミニゼリーのサイズを大きくするよう薦めている。但し、サイズを大きくするとミニゼリー本来の小さくて便利であるという特徴が失われる。
【０００５】
また、一部では業者に対してミニゼリーを製造する上で予めカットしてミニゼリーの体積を縮小し、咽に詰まる危険性を低減させるように薦めている。係る方法は極めて簡単な方法のようではあるが、現実には、業者が係る方法を実施することができず、やはりミニゼリーによる窒息死事件が相変わらず発生している。業者が実施できない理由として、ミニゼリーの利潤に限りがあり、生産を全自動化し、製造コストを低減させなければならないからである。
【０００６】
ミニゼリーの製造は、図１に開示するように複数のカップ１０を配列し、ジャム状を呈する高温の液体を注入する。この場合カットすることはできない。よって、該ジャム状の液体が硬化しゼリー２０になった後カットを行わなければならない。次いでシート３０によって密封する。よって、ゼリーを予めカットする方法は製造工程の時間が長くなり、同時に製造コストの負担も大きくなる。このため業者は係る意見を取り入れ、実施することが難しい。よって、窒息死事件が絶えることなく繰り返される。
【考案の開示】
【考案が解決しようとする課題】
【０００７】
この考案は、収納するゼリーの体積を縮小し、ゼリーが咽に詰まり窒息死を招くという問題を改善するミニゼリーのカップを提供することを課題とする。
【０００８】
またこの考案は、一部を食用しないで残す場合、その保存に便利で、且つ衛生を保つことのできるミニゼリーのカップを提供することを課題とする。
【課題を解決するための手段】
【０００９】
そこで、本考案者は従来の技術に見られる欠点に鑑み鋭意研究を重ねた結果、ゼリーを収納し、開口部をシートで密封するミニゼリーのカップであって、
該カップ内に少なくとも１以上の仕切り板を設けて該カップ内を分割し、それぞれにゼリーを収納する少なくとも２以上の収納溝を形成することを特徴とするミニゼリーのカップ。
の構造によって課題を解決できる点に着眼し、かかる知見に基づいて本考案を完成させた。
【００１０】
以下、この考案について具体的に説明する。
請求項１に記載するミニゼリーのカップは、ゼリーを収納し、開口部をシートで密封するカップであって、該カップ内に少なくとも１以上の仕切り板を設けて該カップ内を分割し、それぞれにゼリーを収納する少なくとも２以上の収納溝を形成する。
【００１１】
請求項２に記載するミニゼリーのカップは、請求項１におけるシートが、該収納溝と同数に分割され、該分割したシートで該カップの収納溝を封止する。
【考案の効果】
【００１２】
本考案のミニゼリーのカップは、ゼリーが咽に詰まるという問題を改善する効果を具えるとともに、一つのミニゼリーに複数の異なる味を具えさせることができるため、商品の付加価値を高めるという利点がある。
【考案を実施するための最良の形態】
【００１３】
この考案は、ミニゼリーのカップを提供するものであって、カップを仕切り板で複数の収納溝に分割し、収納するミニゼリーの体積を縮小し、ゼリーが咽に詰まり易いという問題を改善するものである。
係る構成のミニゼリーのカップについて、その構造と特徴を詳述するために具体的な実施例を挙げ、以下に説明する。
【実施例】
【００１４】
図２、３に開示するように、この考案によるミニゼリーのカップ１０は、少なくとも一以上の仕切り板４０を内部に設け、カップ１０内を少なくとも２以上の収納溝１１に分割し、それぞれの収納溝１１にゼリー２０を収納し、更にシール３０で密封する。係る方法によってゼリー２０のサイズを縮小し、ミニゼリーが容易に咽に詰まり窒息死する問題を改善する。
【００１５】
また、カップ上端の開口を封止するシート３０は、分割線３１を形成して収納溝１１と同様の數に分割してもよい。この場合、先にシート３０を開けた収納溝１１内のゼリーを食することができ、全てのゼリー２０が同時に口の中に入ることが防げる。また、全部食べない場合、シート３０を開けない部分のゼリーを保存し、清潔を保つことができる。
【００１６】
図４から６に開示するように、カップ１０内を３等分するように仕切り板４０を設けてもよい。この場合、カップ１０内は少なくとも３つの収納溝１１に分割される。また、カップ１０を封止するシートも３等分し、それぞれ分割した収納溝１１の上端を封止するように設ける。
【００１７】
食用する場合、等分したそれぞれのシート３０の耳部３２を引っ張り、シート３０を除去し、それぞれの収納溝１１内のゼリー２０を食する。よって、ゼリー２０の全てが口の中に入ることを防ぐ。また、未開封の部分のゼリーは、衛生状態を保ち保存することができる。また、シート３０を全て除去し、それぞれの収納溝１１内のゼリーを同時に食してもよい。但し、それぞれの収納溝１１のゼリー２０はサイズが小さいため咽に詰まることがない。
【００１８】
また、異なる味のゼリーであることを示すために、シート３０に表示する文字、もしくは図案を表示してもよい。また、児童が故意、もしくは無意識で全てのシート３０を除去することがないように耳部３２をそれぞれ異なる位置に設けてもよい（図２、図４参照）。
【００１９】
図７に開示するように、カップ１０内の仕切り板４０を交差するように設け、カップ１０内を４つの収納溝１１に分割してもよい。この場合カップ１０内は少なくとも４つの収納溝１１に分割される。
【００２０】
この考案は、図２から７に開示するように、カップ１０内を仕切り板４０で分割して、少なくとも２つ以上の収納溝１１を形成し、ミニゼリーのサイズを縮小する。このためゼリーが咽に詰まる危険性を効率よく改善することができる。
【００２１】
図８、９、１０に仕切り板４０の他の実施形態を開示する。
【００２２】
また、それぞれの収納溝１１に、異なる味の液体を注入し、一つのミニゼリーが異なる味を具えるようにすることによって、消費者の購買意欲をそそることができる。この考案によれば、ミニゼリー本来の舌触りを失うことなく、従来のミニゼリーに見られるように一口で飲みこんだ場合の危険性を改善することができる。
【００２３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２４】
【図１】従来のミニゼリーのカップの説明図である。
【図２】この考案によるカップを用いたミニゼリーの斜視図である。
【図３】この考案によるミニゼリーのカップの説明図である。
【図４】他の実施形態によるミニゼリーのカップの説明図である。
【図５】この考案においてミニゼリーを収納し封止する場合の状態を示した説明図である。
【図６】この考案においてミニゼリーを食す場合の状態を示した説明図である。
【図７】その他実施形態によるミニゼリーのカップの説明図である。
【図８】この考案における仕切り板の他の実施形態を示した説明図である。
【図９】この考案における仕切り板のその他実施形態を示した説明図である。
【図１０】この考案における仕切り板の別の実施形態を示した説明図である。
【符号の説明】
【００２５】
１０          カップ
１１          収納溝
２０          ゼリー
３０          シート
３１          分割線
３２          耳部
４０          仕切り板
【図１】
0003110682.tif 000003
【図２】
0003110682.tif 000004
【図３】
0003110682.tif 000005
【図４】
0003110682.tif 000006
【図５】
0003110682.tif 000007
【図６】
0003110682.tif 000008
【図７】
0003110682.tif 000009
【図８】
0003110682.tif 000010
【図９】
0003110682.tif 000011
【図１０】
0003110682.tif 000012